(57)【特許請求の範囲】
【請求項１】
刃先を覆うガ−ドプレ−トがカミソリヘッドの一部として装着され、ガ−ドプレ−トに刃先露出孔を設けることによって形成されたガ−ド部が刃先を横切るように覆っており、ガ−ドプレ−トの前部及び後部がそれぞれカミソリヘッドに係合してガードプレートがカミソリヘッドに支持されている安全カミソリにおいて、ガ−ドプレ−トを支持するための係合孔が刃先露出孔とは別にガード部の前部と後部にそれぞれ複数設けられ、刃先の前方に延在するガードバーの内面に形成された係合突起に、ガードプレートの前部に設けられた係合孔が係合し、前記係合突起及び係合孔の中心は、ガード部の端部の延長線が通っており、且つ、前記係合突起からガ−ドプレ−トの前部が外れないように前記係合突起の端部はつぶされていることを特徴とする安全カミソリ。
【発明の詳細な説明】
【０００１】
【発明の属する技術分野】
本発明は、一般大衆が使用する安全カミソリに関し、特に刃先を部分的に覆うガ−ドプレ−トに関する。
【０００２】
【従来の技術】
ガ−ドプレ−トを装着した安全カミソリは従来から存在し、ガ−ドプレ−トの前部をガ−ドバ−に係合し後部を天板のかしめ突起に係合したものも存在している。
【０００３】
【発明が解決しようとする課題】
上述した従来技術としては、例えば特開平１０−１７４７９０公報に記載された安全カミソリが存在する。この安全カミソリは図６及び図１３に示されたようにガ−ドプレ−トの前部と後部に、カミソリヘッドと係合するための係合孔が設けられている。
【０００４】
係合孔を有するガ−ドプレ−トは前記公報に記載されているが、ガ−ドプレ−トの前部と後部の係合孔は横方向にずれていて対向していない。したがって、細いガ−ド部に張力が加わったときに、ガ−ドプレ−トはステンレス等の材料で非常に薄く形成されているから、ガ−ドプレ−トの前部又は後部がガ−ド部に引っ張られて容易に変形してしまうのである。
【０００５】
このように、ガ−ド部に張力が加わったときにガ−ドプレ−トの前部又は後部が容易に変形してしまうようでは円滑なヒゲ剃りを行なうことができない。そこで、本発明は特定のガ−ド部に張力が加わってもそのガ−ド部によるガ−ドプレ−トの変形を効果的に防止できる安全カミソリを提供することを目的とする。
【０００６】
【課題を解決するための手段】
本発明の構成の請求項１は、刃先を覆うガ−ドプレ−トがカミソリヘッドの一部として装着され、ガ−ドプレ−トに刃先露出孔を設けることによって形成されたガ−ド部が刃先を横切るように覆っており、ガ−ドプレ−トの前部及び後部がそれぞれカミソリヘッドに係合してガードプレートがカミソリヘッドに支持されている安全カミソリにおいて、ガ−ドプレ−トを支持するための係合孔が刃先露出孔とは別にガード部の前部と後部にそれぞれ複数設けられ、刃先の前方に延在するガードバーの内面に形成された係合突起に、ガードプレートの前部に設けられた係合孔が係合し、前記係合突起及び係合孔の中心は、ガード部の端部の延長線が通っており、且つ、前記係合突起からガ−ドプレ−トの前部が外れないように前記係合突起の端部はつぶされている構成である。
【０００７】
【発明の効果】
本発明は以上のような構成であって、ガ−ドプレ−トを支持するために、刃先の前方に延在するガードバーの内面に形成された係合突起に、ガードプレートの前部に設けられた係合孔が係合し、前記係合突起及び係合孔の中心は、ガード部の端部の延長線が通っている。したがって、使用中にそのようなガ−ド部に引っ張り力がはたらいたとき、あるいは製造時に初めからそのようなガ−ド部に引っ張り力が加わるように組み立てたときに、そのようなガ−ド部を原因とするガ−ドプレ−トの変形を効果的に防止できる。
【０００８】
【発明の実施の形態】
次に、本発明の実施の形態を図面に従って説明する。図面は３枚の刃を有する替刃カ−トリッジに関する。ガ−ドプレ−ト１は薄い板状のステンレスで形成されているが材料がステンレスに限定されないことは勿論である。ガ−ドプレ−ト１の前部２の近くに７つの刃先露出孔３が横方向に並べて設けられ、この構成によって８つの線状ガ−ド部４が形成されている。刃先露出孔３の数がこれに限定されないことは勿論であり、ガ−ド部４は線状でなくやや幅のあるものにしてもよい。
【０００９】
ガ−ドプレ−トの前部２には４つの係合孔５が設けられている。係合孔５はそれぞれがガ−ド部の付け根６の延長線上にあって、やや横長に形成されている。係合孔５が４つに限定されないことは勿論である。
【００１０】
ガ−ドプレ−トの後部７には２つの係合孔８が設けられている。係合孔８はそれぞれがガ−ド部の付け根９の延長線上にあって、やや縦長に形成されている。係合孔のすべてがガ−ド部の付け根９の延長線上にある場合に限定されない。また、係合孔８は２つに限定されない。また、２つのガ−ド部の前後の延長線上に係合孔５及び係合孔８が存在する構成であるが、２つのガ−ド部に限定されることはなく１つでもよく３以上でもよい。なお、係合孔８，８よりも端部寄りに丸孔１０が設けられているが、これは本発明に関係するものでなく、製造工程においてガ−ドプレ−トを位置決めするときに用いられる。
【００１１】
替刃カ−トリッジ１１は、天板１２と刃台１３の間に３枚の刃を挾着した構成である。３枚の刃は、下刃１７よりも中間刃１８が後方にずらされ、中間刃１８よりも上刃１９が後方にずらされて装着される。刃台１３に設けた階段状の４つの前支持部１４と４つの後支持部１５、及び天板１２の裏面に階段状に形成された４つのかしめ突起１６と両側に設けられた２つの前支持部２４が刃のずれた部分を支持することによって刃は挾着される。この階段状の支持構成によってスペ−サ−がなくても各刃の間にヒゲカス排出用の隙間を設けることができる。
【００１２】
図４は天板１２の底面図であって、前述した階段状の４つのかしめ突起１６と２つの前支持部２４が形成されている。４つのかしめ突起１６の中寄りの２つは刃の挿通孔に挿通されるが、側部寄りの２つのかしめ突起１６は刃の側部に設けられた切欠に挿通される。刃先の前方に延在するガ−ドバ−２０は天板１２と一体に形成されており、ガ−ドバ−２０の内面には４つの横長の係合突起２５が一体に形成されている。なお、符号２３は天板１２の上面に固着されたスム−サ−である。
【００１３】
図５は刃台１３の上面図であって、前述した階段状の４つの前支持部１４と４つの後支持部１５が設けられている。符号２６は天板のかしめ突起１６が挿通するかしめ孔である。刃台１３の前部にはガ−ドバ−連結部２７が一体に設けられ、天板のガ−ドバ−２０の底面に一体に設けられた２つの連結突起２８をガ−ドバ−連結部２７の２つの孔２９に嵌合して、ガ−ドバ−２０とガ−ドバ−連結部２７が連結される。符号２１はガ−ドバ−連結部２７に固着されたエラストマ−であり、符号２２はガ−ドバ−２０に取付けられたスム−サ−である。
【００１４】
ガ−ドプレ−トの後部７は、上刃１９と天板１２との間に挾着され、かしめ突起１６はガ−ドプレ−トの係合孔８に挿通されている。ガ−ドプレ−ト１が３つの刃先を覆うようにその前部２はガ−ドバ−２０の内面まで到達し、係合孔５はガ−ドバ−の係合突起２５に係合している。係合突起２５からガ−ドプレ−トの前部２が外れないように、係合突起２５の端部はつぶされている。各ガ−ド部４は縦方向に平行に且つ直線状に延在しやや緊張状態に置かれている。各ガ−ド部４は直線状でなくてもよく、緊張状態でなくてもよいことは勿論である。
【００１５】
図６及び図７は刃であって、図６の刃は中間刃１８及び上刃１９として使用され、図７の刃は下刃１７として使用される。各刃の両側には切欠３０，３１が設けられているが、前述したように天板の側部寄りの２つのかしめ突起１６をこれらの切欠３０，３１に挿通して各刃を支持するためのものである。また、天板の中央寄りの２つのかしめ突起１６を中間刃及び上刃の挿通孔３３と下刃の挿通孔３２に挿通する。中間刃１８及び上刃１９にかしめ突起を挿通するときは内寄りの一対の挿通孔３３，３３のみが使用され他の挿通孔３４は使用されない。挿通孔３４はヒゲカスの排出を促進させる作用をなす。しかし、例えば下刃１７を上刃及び中間刃１８，１９と同形状とし、かしめ突起１６をやや外寄りに形成して現在使用されている挿通孔３２，３３よりも外寄りにかしめ突起１６を通すときは、外寄りの挿通孔３４がかしめ突起挿通用として使用される。
【図面の簡単な説明】
【図１】  ガ−ドプレ−トの正面図
【図２】  替刃カ−トリッジの断面図
【図３】  替刃カ−トリッジの平面図
【図４】  天板の底面図
【図５】  刃台の平面図
【図６】  刃の正面図
【図７】  刃の正面図
【符号の説明】
１  ガ−ドプレ−ト
２  ガ−ドプレ−トの前部
３  刃先露出孔
４  ガ−ド部
５  係合孔
６  ガ−ド部の付け根
７  ガ−ドプレ−トの後部
８  係合孔
９  ガ−ド部の付け根
１０  丸孔
１１  替刃カ−トリッジ
１２  天板
１３  刃台
１４  前支持部
１５  後支持部
１６  かしめ突起
１７  下刃
１８  中間刃
１９  上刃
２０  ガ−ドバ−
２１  エラストマ−
２２  スム−サ−
２３  スム−サ−
２４  前支持部
２５  係合突起
２６  かしめ孔
２７  ガ−ドバ−連結部
２８  連結突起
２９  孔
３０  切欠
３１  切欠
３２  挿通孔
３３  挿通孔
３４  挿通孔
【図１】
0004422374.tif 000002
【図２】
0004422374.tif 000003
【図３】
0004422374.tif 000004
【図４】
0004422374.tif 000005
【図５】
0004422374.tif 000006
【図６】
0004422374.tif 000007
【図７】
0004422374.tif 000008